(57)【要約】      （修正有）【課題】高天井に取り付けられたＨＩＤランプを用いた照明器具の既設のランプホルダを利用する蛍光灯を用いた照明器具を提供する。【解決手段】天井面に設けられた既設の高天井照明器具を利用する照明器具１であって、前記既設の高天井照明器具のランプホルダ１０に固定される取付金具２０と、直管形照明灯のための天井直付照明器具からなる照明器具本体３０と、前記照明器具本体３０の外側に設けられ前記取付金具２０を支持する一対の支持台４０ａ，４０ｂとからなり、前記取付金具２０は、前記ランプホルダ１０に設けられランプセードを固定していた固定手段によって着脱自在に固定する。【選択図】図１
0003154570.tif 000002
【実用新案登録請求の範囲】
【請求項１】
天井面に設けられた既設の高天井照明器具を利用する照明器具であって、
前記既設の高天井照明器具のランプホルダ（１０）に固定される取付金具（２０）と、
直管形照明灯のための天井直付照明器具からなる照明器具本体（３０）と、
前記照明器具本体（３０）の上面に設けられ前記取付金具を支持する一対の支持台（４０ａ、４０ｂ）とからなり、
前記取付金具（２０）は、前記ランプホルダ（１０）に設けられランプセードを固定していた固定手段（１６、１７、１８、２１６、３１６、３１７、４１６）によって着脱自在に固定される
ことを特徴とする照明器具。
【請求項２】
請求項１に記載された照明器具であって、
前記取付金具（２０）は、前記ランプホルダ（１０）に着脱自在に固定するための被固定手段（２６、２７、２８、２２９、３２６ａ、３２７ａ、３２６ｂ、３２７ｂ、３２６ｃ、３２７ｃ、４２６ａ、４２６ｂ、４２６ｃ）が形成されている
ことを特徴とする照明器具。
【請求項３】
請求項２に記載された照明器具であって、
前記取付金具（３２０、４２０）は、前記ランプホルダ（３１０、３２０）に設けられ既設の照明器具（１００）のランプセードを引っ掛けていた引掛手段（３１８、３１９、４１７、４１８）によって着脱自在に引っ掛けられる被引掛手段（３２９、４２７ａ、４２８ａ、４２７ｂ、４２８ｂ、４２７ｃ、４２８ｃ）が形成されている
ことを特徴とする照明器具。
【請求項４】
請求項１〜３のいずれか１項に記載された照明器具であって、
前記固定手段は、前記ランプホルダの底部に設けられた一又は複数のネジ穴に取り付けられる一又は複数のネジ部材である
ことを特徴とする照明器具。
【請求項５】
請求項４に記載された照明器具であって、
前記被固定手段は、
前記一又は複数のネジ穴に対応する位置に形成された一又は複数の孔である
ことを特徴とする照明器具。
【請求項６】
請求項５に記載された照明器具であって、
前記一又は複数の孔の少なくとも一つは、一端が前記ネジ部材の頭部の径よりも大きい径であり他端が前記ネジ部材の頭部の径よりも小さい円弧の長穴である
ことを特徴とする照明器具。
【請求項７】
請求項１〜６のいずれか１項に記載された照明器具であって、
前記照明器具本体（３０）は、前記照明器具本体（３０）の上面に電源線をつなげる端子台（５０）が設けられている
ことを特徴とする照明器具。
【請求項８】
請求項７に記載された照明器具であって、
前記端子台（５０）は、前記一対の支持台（４０ａ、４０ｂ）の間で前記取付金具（２０）に覆われるように設けられている
ことを特徴とする照明器具。
【請求項９】
請求項１〜８のいずれか１項に記載された照明器具であって、
前記照明器具本体（３０）は、
反射面がチタン又はシリコーンを用いたガラス状の物質が蒸着処理されたアルミニウム製であり、前記直管形照明灯が発光した光を、前記直管形照明灯に遮られないように反射させる角度を有するように複数の傾斜面が設けられている反射板（６０）を有する
ことを特徴とする照明器具。
【考案の詳細な説明】
【技術分野】
【０００１】
本考案は、高天井に取り付けられる照明器具に関する。さらに詳しくは、高天井に取り付けられたＨＩＤランプを用いた照明器具の既設のランプホルダを利用する蛍光灯を用いた照明器具に関する。
【背景技術】
【０００２】
従来より工場、倉庫及び体育館等の屋内大規模施設には、高圧水銀ランプ及びメタルハライドランプ等のＨＩＤランプ（Ｈｉｇｈ  Ｉｎｔｅｎｓｉｔｙ  Ｄｉｓｃｈａｒｇｅ  ｌａｍｐ）が使用されている。屋内大規模施設は、天井が高い位置にある高天井であるため、照明器具の取りかえ作業を頻繁に行うことはできない。このため、屋内大規模施設は、寿命が長いＨＩＤランプが用いられていた。
【０００３】
しかし、ＨＩＤランプは、始動から安定するまでの時間（以下、単に「安定時間」という。）及び消灯から再点灯できるまでの時間（以下、単に「再点灯時間」という。）が比較的長い。例えば、高圧水銀ランプの場合は、電源を入れると主電極と隣接する補助電極との間にグロー放電がおこり、主電極間のアーク放電に移り始動する。この放電により発光管が暖められ、封入されている水銀が蒸発し、輝度が上昇する。封入されている水銀が、完全に蒸発して安定するまでには数分を要する。
【０００４】
高圧水銀ランプは、安定点灯中に消灯すると、消灯直後は水銀蒸気圧が高いため、電源をすぐに入れても再点灯しない。この場合は、２０〜３０分間程度の時間を要して、発光管が冷えると再点灯できるようになる。
【０００５】
メタルハライドランプの始動特性は、封入物により異なるが高圧水銀ランプとほぼ同じであり、始動時の安定時間は１０分以上かかる場合が多い。再点灯時間も水銀ランプと同程度の時間を要する。このように、水銀ランプ及びメタルハライドランプは、安定時間が長いため、作業再開までに相当時間を要する。また、水銀ランプ及びメタルハライドランプは、再始動時間が長いため、作業等をしている最中に消灯してしまうと作業を一時中断せざるを得ない状態となる。
【０００６】
この点、蛍光灯は、始動するまでの時間が数秒ですみ、再点灯時間も数秒ですむ。しかし、従来の蛍光灯は、高天井には用いられていなかった。これは、蛍光灯は、ランプの寿命が短く、頻繁に交換しなければならなかったためである。近年の技術の進歩にともない、蛍光灯は、５万時間〜１０万時間と長期寿命のものが存在している。このため、既設のＨＩＤランプを用いた照明器具（以下、単に「ＨＩＤ照明器具」という。）から蛍光灯を用いた照明器具（以下、単に「蛍光灯照明器具」という。）に交換する工事が進められている。
【０００７】
しかし、新たな蛍光灯照明器具を取り付ける際に、既設のＨＩＤ照明器具を構成する部品をすべて取り外すのでは、廃棄物が増大し、工事費用がかかる。また、新たな蛍光灯照明器具を取り付ける際に、照明器具を一旦分解して、天井面に内部よりネジ止めし、必要な作業を行った後、再度照明器具を組み立てるのでは作業工程も増すし、必要な部品や工具も増す。
【０００８】
高天井の照明器具の工事は、クレーンや高所作業車を利用するため、部品点数、作業工程及び持ち込む工具は少なければ少ないほどよい。このため、新たな蛍光灯照明器具を天井面に取り付ける際に、部品点数が少なく、作業工程が少なく構造が単純な照明器具が要求されていた。
【０００９】
さらに、特許文献を基に、従来の技術を説明する。天井面に固定する取付具に形成された係合スリットに、照明器具に設けられた係合片に係合することによって、省施工と施工上の安全性を備えた照明器具の技術が知られている（例えば、特許文献１参照）。また、施工性を容易にし、かつ確実に設置することができる照明器具の技術が知られている（例えば、特許文献２参照）。さらに、既設の照明器具を利用して容易に照明器具を更新することができる照明器具の技術が知られている（例えば、特許文献３参照）。
【先行技術文献】
【特許文献】
【００１０】
【特許文献１】特開２００４−２８８５９７号公報
【特許文献２】特開２００７−３３５２０７号公報
【特許文献３】特開平０８−１８０７２６号公報
【考案の概要】
【考案が解決しようとする課題】
【００１１】
しかしながら、前述した特許文献１に記載された発明では、天井面に固定する取付具の構成が複雑であり、加工に手間と時間がかかる。また、取付具に器具本体を取り付けた後にカバーを嵌め込みネジ止めしなければならないため、作業工程が多い。照明器具の変更作業は、高所で行われる。このような高所において、複雑な部品を用いた作業工程の多い照明器具の取付作業は、作業全体の効率の低下を招く。
【００１２】
特許文献２に記載された発明の取付具は、天井面に設置されるものである。このため、この取付具を既設の照明器具が設置されていた場所に設置する場合には、既設の照明器具に用いていた部品をすべて廃棄処分しなければならない。また、特許文献１及び２に記載された発明は、既設の照明器具に用いられていた部品を極力廃棄することなく利用するという目的のものではない。
【００１３】
また、前述した特許文献３に記載された発明では、既設の照明器具を、新たな照明器具に変更する作業に時間と手間がかかる。特許文献３の照明器具は、その変更作業に要する照明器具の部品点数が多く、それらがバラバラに用意されている。照明器具の変更作業は、変更作業を行う現場まで必要な部品をそれぞれ用意し、それぞれを組み立てながら作業を行う。このため、変更作業に要する照明器具の部品の管理に手間を要する。
【００１４】
従来の照明器具には、高天井に取り付けられたＨＩＤ照明器具の既設のランプホルダをそのまま利用して、蛍光灯照明器具に取りかえる考えがなかった。つまり、従来の照明器具には、既設のランプホルダが既設ランプセードを固定している固定具を利用して新たに取り付けられる蛍光灯照明器具は存在しなかった。
【００１５】
現在、高天井に取り付けられたＨＩＤ照明器具の既設のランプホルダは、大きく分けて四種類ある。そして、この既設のランプホルダの種類ごとにＨＩＤ照明器具の既設ランプセードを固定している固定具が異なっている。このため、新たに取り付けられる蛍光灯照明器具は、既設のランプホルダの固定具の種類ごとに取付箇所を異なった構造にしなければならなかった。
【００１６】
また、高天井に取り付けられたＨＩＤ照明器具は、下面が開放した丸型である。これに対して、蛍光灯照明器具は、直管式蛍光灯を用いており矩形形状である。このため、ＨＩＤ照明器具を蛍光灯照明器具に取りかえる際には、位置決めが必要となる。つまり、矩形形状の蛍光灯照明器具が、一定の間隔で一定の方向にそろうように取り付けられる必要があった。
【００１７】
本考案は、前述した課題を解決するためになされたもので、次の目的を達成する。本考案の目的は、高天井に取り付けられたＨＩＤ照明器具の既設のランプホルダを利用した蛍光灯を用いる照明器具を提供することにある。本考案の他の目的は、既設のランプホルダの固定具の種類を問わず取り付けることができる照明器具を提供することにある。本考案の他の目的は、照明器具本体を分解することなく既設のランプホルダに設置することができる照明器具を提供することにある。
【００１８】
本考案の他の目的は、ＨＩＤ照明器具を蛍光灯照明器具に取りかえたときに直管式蛍光灯の位置決めが容易な照明器具を提供することにある。本考案の他の目的は、ＨＩＤ照明器具を蛍光灯照明器具に取りかえるリニューアル工事する際に、多くの部品及び作業工程を要することなく変更可能な照明器具を提供することにある。
【課題を解決するための手段】
【００１９】
本考案は、前記目的を達成するために次の手段をとる。
本考案１の照明器具は、天井面に設けられた既設の高天井照明器具を利用する照明器具であって、前記既設の高天井照明器具のランプホルダに固定される取付金具と、直管形照明灯のための天井直付照明器具からなる照明器具本体と、前記照明器具本体の上面に設けられ前記取付金具を支持する一対の支持台とからなり、前記取付金具は、前記ランプホルダに設けられランプセードを固定していた固定手段によって着脱自在に固定されることを特徴とする。
【００２０】
本考案２は、本考案１の照明器具であって、前記取付金具は、前記ランプホルダに着脱自在に固定するための被固定手段が形成されていることを特徴とする。
【００２１】
本考案３は、本考案２の照明器具であって、前記取付金具は、前記ランプホルダに設けられ既設の照明器具のランプセードを引っ掛けていた引掛手段によって着脱自在に引っ掛けられる被引掛手段が形成されている
ことを特徴とする。
【００２２】
本考案４は、本考案１〜３のいずれか１の照明器具であって、前記固定手段は、前記ランプホルダの底部に設けられた一又は複数のネジ穴に取り付けられる一又は複数のネジ部材であることを特徴とする。
【００２３】
本考案５は、本考案４の照明器具であって、前記被固定手段は、前記一又は複数のネジ穴に対応する位置に形成された一又は複数の孔であることを特徴とする。
【００２４】
本考案６は、本考案５の照明器具であって、前記一又は複数の孔の少なくとも一つは、一端が前記ネジ部材の頭部の径よりも大きい径であり他端が前記ネジ部材の頭部の径よりも小さい円弧の長穴であることを特徴とする。
【００２５】
本考案７は、本考案１〜６の１の照明器具であって、前記照明器具本体は、前記照明器具本体の上面に電源線をつなげる端子台が設けられていることを特徴とする。
【００２６】
本考案８は、本考案７の照明器具であって、前記端子台は、前記一対の支持台の間で前記取付金具に覆われるように設けられていることを特徴とする。
【００２７】
本考案９は、本考案１〜８の１の照明器具であって、前記照明器具本体は、反射面がチタン又はシリコーンを用いたガラス状の物質が蒸着処理されたアルミニウム製であり、前記直管形照明灯が発光した光を、前記直管形照明灯に遮られないように反射させる角度を有するように複数の傾斜面が設けられている反射板を有することを特徴とする。
【考案の効果】
【００２８】
以上説明したように、本考案の照明器具は、高天井に取り付けられたＨＩＤ照明器具の既設のランプホルダを利用して蛍光灯照明器具を取り付けることが可能になった。本考案の照明器具は、既設のランプホルダの固定具の種類を問わず取り付けることが可能になった。本考案の照明器具は、照明器具本体を分解することなく既設のランプホルダに設置することが可能になった。
【００２９】
本考案の照明器具は、ＨＩＤ照明器具を蛍光灯照明器具に取りかえたときに直管式蛍光灯の位置決めが容易になった。本考案の照明器具は、ＨＩＤ照明器具を蛍光灯照明器具に取りかえるリニューアル工事する際に、多くの部品及び作業工程を要することなく変更可能になった。
【図面の簡単な説明】
【００３０】
【図１】図１は、本考案の第１の実施の形態の照明器具を示す外観図である。
【図２】図２は、照明器具本体を示す外観図である。
【図３】図３は、既設の照明器具を示す外観図である。
【図４】図４は、既設のランプホルダを示す外観図である。
【図５】図５は、既設のランプホルダ及び取付金具を示す外観図である。
【図６】図６は、既設のランプホルダに取付金具を取り付けた状態を示す外観図である。
【図７】図７は、既設のランプホルダ、取付金具及び照明器具本体を示す外観図である。
【図８】図８は、既設のランプホルダ及び取付金具を照明器具本体に取り付けた状態を示す外観図である。
【図９】図９は、本考案の第２の実施の形態の照明器具の既設のランプホルダ及び取付金具を示す外観図である。
【図１０】図１０は、本考案の第３の実施の形態の照明器具の既設のランプホルダ及び取付金具を示す外観図である。
【図１１】図１１は、本考案の第４の実施の形態の照明器具の既設のランプホルダ及び取付金具を示す外観図である。
【考案を実施するための形態】
【００３１】
以下、本考案の照明器具の実施の形態を図面に基づいて詳細に説明する。図１は、本考案の第１の実施の形態の照明器具を示す外観図である。図２は、照明器具本体を示す外観図である。図３は、既設の照明器具を示す外観図である。図４は、既設のランプホルダを示す外観図である。図５は、既設のランプホルダ及び取付金具を示す外観図である。
【００３２】
図６は、既設のランプホルダに取付金具を取り付けた状態を示す外観図である。図７は、既設のランプホルダ、取付金具及び照明器具本体を示す外観図である。図８は、既設のランプホルダ及び取付金具を照明器具本体に取り付けた状態を示す外観図である。なお、本考案の実施の形態を示す図面においては、説明の便宜から床面から天井に向かう方向を上方向とし、反対の方向を下方向としている。また、照明器具本体３０の中心に向かう方向を内側方向とし、反対の方向を外側方向としている。
【００３３】
図１に示すように、本考案の第１の実施の形態の照明器具１は、既設のランプホルダ１０、取付金具２０、照明器具本体３０及び２つの支持台４０ａ、４０ｂから構成されている。既設のランプホルダ１０は、既に天井面に取り付けられていた既設照明器具１００から既設ランプセード１１０、既設反射板１２０及び既設メタルハライドランプＬ（図３参照）を取り除いた既設のものである。
【００３４】
本考案の第１の実施の形態のランプホルダ１０は、基部１１、軸部１２、本体部１３、ランプソケット１４及び底部１５から構成されている。基部１１は、既設のランプホルダ１０を天井面に取り付けるために設けられている。基部１１は、ネジ部材等によって、天井面に取り付けられている。軸部１２は、直径が異なる２本の管状で形成されている。この軸部１２は、天井面より基部１１を通じて電源線を本体部１３に挿通していた。本体部１３の外周は、放熱のために複数のスリットが形成されている。本体部１３は、下方向が開放した略円錐状の管に形成されている。本体部１３は、内部にランプソケット１４を有している。ランプソケット１４は、既設照明器具１００のメタルハライドランプＬを取り付けられていたソケットである（図３参照）。
【００３５】
本体部１３は、下方向の端部に管状の円板である底部１５が形成されている。図４に示すように底部１５は、等間隔に３つのネジ穴１６ｈ、１７ｈ、１８ｈが形成されている。ネジ穴１６ｈ、１７ｈ、１８ｈには、ボルト、小ネジ等のネジ部材１６、１７、１８が取り付けられている。ネジ部材１６、１７、１８は、既設照明器具１００の既設ランプセード１１０を既設ランプホルダ１０に固定していたネジ部材である。
【００３６】
図１に示すように、取付金具２０は、スチール板、アルミニウム板等の矩形の一枚の金属板を曲げてスポット溶接又はプレス加工等することにより断面形状が略凸形状に形成されている。図１又は図５に示すように取付金具２０は、平板状の取付上面２１、取付側面２２ａ、２２ｂ及び取付底面２３ａ、２３ｂから形成されている。取付上面２１、取付側面２２ａ、２２ｂ及び取付底面２３ａ、２３ｂは、それぞれが矩形形状に形成されている。取付上面２１は、底部１５を取り付けやすいように、底部１５より広く形成されている。
【００３７】
取付上面２１は、後述する照明器具本体３０の外部上面３１と略平行になるように形成されている。取付側面２２ａ、２２ｂは、矩形形状の取付上面２１の一の辺とその辺と向かいあう他の辺より略垂直下方向に形成されている。取付底面２３ａ、２３ｂは、取付側面２２ａ、２２ｂの下端の辺より略垂直外側方向に形成されている。取付金具２０は、取付上面２１と取付底面２３ａ、２３ｂとが略平行に形成されている。
【００３８】
図５に示すように、取付上面２１には、３つのだるま穴２６、２７、２８が形成されている。取付上面２１には、略中央に円状の孔２９が形成されている。だるま穴２６、２７、２８は、円状の孔である大径部２６ａ、２７ａ、２８ａと、長穴で円弧である小径部２６ｂ、２７ｂ、２８ｂとから形成されている。大径部２６ａ、２７ａ、２８ａは、等間隔に形成された３つのネジ穴１６ｈ、１７ｈ、１８ｈに対応する位置に形成されている。
【００３９】
つまり、既設のランプホルダ１０を取付金具２０に取り付けるときに大径部２６ａ、２７ａ、２８ａとネジ穴１６ｈ、１７ｈ、１８ｈとは、同一円弧上に位置するように形成されている。大径部２６ａ、２７ａ、２８ａは、既設のランプホルダ１０のネジ部材１６、１７、１８の頭部の直径より幅が広く形成されている。小径部２６ｂ、２７ｂ、２８ｂは、既設のランプホルダ１０のネジ部材１６、１７、１８の頭部の直径より幅が狭い長穴に形成されている。
【００４０】
なお、取付上面２１に形成されているだるま穴の位置は、底部１５のネジ穴の位置によって、適宜変更する。つまり、既設のランプホルダ１０は、下面が開放した丸型の既設ランプセードを取り付けていたため、ランプホルダごとにネジ穴の位置が別々になっていることが考えられる。これに対して、蛍光灯照明器具は、直管式蛍光灯を用いており矩形形状である。ネジ穴の位置が別々のランプホルダに取付金具２０をそのまま取り付け、照明器具本体３０を取り付けると、向きがバラバラになってしまうおそれがある。このため、矩形形状の蛍光灯照明器具が、一定の間隔で一定の方向にそろうようにするため、取付上面２１のだるま穴の位置を適宜変更すると良い。つまり、取付金具２０の加工を変えるだけで照明器具本体を加工することなく、複数の蛍光灯照明器具を一定の間隔で一定の方向に揃えることができる。
【００４１】
取付底面２３ａ、２３ｂには、貫通孔である貫通孔２３ｈ、２３ｈが形成されている。貫通孔２３ｈ、２３ｈは、後述する支持上面４１ａ、４１ｂのネジ穴４１ｈ、４１ｈと対応する位置に形成されている（図７及び図８参照）。つまり、取付金具２０に支持台３０ａ、３０ｂを引っ掛けたときに貫通孔２３ｈ、２３ｈとネジ穴４１ｈ、４１ｈが連続して挿通するように位置している。取付底面２３ａ、２３ｂは、後述する支持上面４１ａ、４１ｂと略同じ大きさに形成されている。取付金具２０に支持台４０ａ、４０ｂを引っ掛けたときに支持台４０ａ、４０ｂが取付金具をしっかり支持し固定するためである。
【００４２】
図１に示すように、本考案の照明器具本体３０は、大量生産されている一般的なものである。本考案の照明器具本体３０は、直管形照明灯を用いて天井面に設置される照明器具である。照明器具本体３０は、スチール板、アルミニウム板等の矩形の複数枚の金属板を曲げて、スポット溶接やネジ止め等することにより形成されている。照明器具本体３０は、下方向の面が開口するように開放部が設けられた略直方体の箱形状に形成されている。
【００４３】
照明器具本体３０は、その外側の上面である外部上面３１に支持台４０ａ、４０ｂが設けられている。照明器具本体３０は、その外部上面３１の略中央に端子台５０が設けられている。照明器具本体３０は、その内部に直管式蛍光灯をとりつけるためのソケット３２と反射板６０が設けられている。本考案の第１の実施の形態において、ソケット３２と反射板６０は、照明器具本体３０の内部から外部にかけてはみ出すように設置されている。しかし、この形態に限定されることなく、ソケット３２と反射板６０が、照明器具本体３０の内部に収まるように設置されていても良い。
【００４４】
照明器具本体３０は、その内部に点灯装置としての安定器（図示せず）が設けられている。安定器は、照明器具本体３０の内側に反射板６０と接触しない位置に設けられている。図１に示すように、一対の支持台４０ａ、４０ｂは、照明器具本体３０の外部上面３１の略中央に設けられている。一対の支持台４０ａ、４０ｂは、端子台５０を挟むような位置に対向して設けられている。一つの支持台４０ａ、４０ｂは、互いに向き合うように対称に設けられている。
【００４５】
支持台４０ａ、４０ｂは、スチール板、アルミニウム板等の矩形の一枚の金属板を曲げてスポット溶接又はプレス加工等することにより階段のような形状に形成されている。図１又は図２に示すように、支持台４０ａは、支持上面４１ａ、支持側面４２ａ及び支持底面４３ａから形成されている。同様に、支持台４０ｂは、支持上面４１ｂ、支持側面４２ｂ及び支持底面４３ｂから形成されている。
【００４６】
支持上面４１ａ、４１ｂ、支持側面４２ａ、４２ｂ及び支持底面４３ａ、４３ｂは、それぞれが矩形形状に形成されている。支持上面４１ａは、外部上面３１と略平行になるように形成されている。支持上面４１ｂは、支持上面４１ａと同様の構成である。支持上面４１ａと支持上面４１ｂは、同じ高さに形成されている。
【００４７】
支持側面４２ａは、矩形形状の支持上面４１ａの一の辺より略垂直下方向に形成されている。支持側面４２ａが形成される一の辺は、支持上面４１ａの辺の中で最も端子台５０に近い辺と向かい合う辺である。支持側面４２ｂは、支持側面４２ａと同様の構成である。支持側面４２ａと支持側面４２ｂは、照明器具本体３０の外部上面３１から同じ高さに形成されている。
【００４８】
支持底面４３ａは、支持側面４２ａの下端の辺より略垂直外側方向に形成されている。支持底面４３ａは、外部上面３１と略平行になるように形成されている。支持底面４３ｂは、支持底面４２ａと同様の構成である。支持底面４３ａと支持底面４３ｂは、同じ高さに形成されている。支持台４０ａは、支持上面４１ａと支持底面４３ａとが略平行に形成されている。支持台４０ｂは、支持上面４１ｂと支持底面４３ｂとが略平行に形成されている。
【００４９】
支持台４０ａは、外側方向から内側方向にかけて支持底面４３ａ、支持側面４２ａ、支持上面４１ａと略垂直に折れ曲がった階段のような形状に形成されている。同様に、支持台４０ｂは、外側方向から内側方向にかけて支持底面４３ｂ、支持側面４２ｂ、支持上面４１ｂと略垂直に折れ曲がった階段のような形状に形成されている。支持台４０ａと支持台４０ｂは、端子台５０を中心に対称になるように設けられている。
【００５０】
支持上面４１ａ、４１ｂは、貫通したネジ穴であるネジ穴４１ｈ、４１ｈが形成されている。ネジ穴４１ｈ、４１ｈは、貫通孔２３ｈ、２３ｈと対応する位置に形成されている（図７及び図８参照）。つまり、取付金具２０に支持台４０ａ、４０ｂを引っ掛けたときに、貫通孔２３ｈ、２３ｈとネジ穴４１ｈ、４１ｈが、連続して挿通するように位置している。図１に示すように、取付金具２０と支持台４０ａ、４０ｂとは、蝶ボルト４１ｓ、４１ｓがネジ止めされることによって支持固定される。なお、本考案の第１の実施の形態においては、蝶ボルトを使用しているが、固定するものであれば他のネジ部材等でも良いことはいうまでもない。
【００５１】
支持上面４１ａ、４１ｂは、取付底面２３ａ、２３ｂと略同じ大きさに形成されている。この理由は、取付金具２０に支持台４０ａ、４０ｂを引っ掛けたときに、支持台４０ａ、４０ｂが取付金具をしっかり支持するためである。支持台４０ａ、４０ｂは、支持底面４３ａ、４３ｂが、照明器具本体３０の外部上面３１にネジ部材４３ｓ等で固定されることで設置されている。取付金具２０に支持台４０ａ、４０ｂを取り付けたときの、取付上面２１から支持底面４３ｂまでの高さの寸法は、後述する端子台５０の高さの寸法よりも高くなるように形成されている。
【００５２】
端子台５０は、天井からひかれた電源線をつなげるように照明器具本体３０の外部上面３１に設けられている。端子台５０が照明器具本体３０の内部にあると、設置作業の際にランプ及び反射板を外して電源線をつなげる作業をしなければならない。このような手間を省くため、本考案の第１の実施の形態においては、端子台５０は、外部上面３１上に設けられている。
【００５３】
反射板６０は、母材となるアルミニウム板に陽極酸化処理を施した後に、チタンやシリコンを用いたガラス状の物質を物理蒸着したものである。反射板６０は、反射率６０パーセントの白色塗装や反射率７０パーセントのアルミニウム鏡面の既存反射板に比べ反射率が良く反射率９５パーセント以上である。本考案の第１の実施の形態において反射板６０は、矩形の一枚の金属板を曲げることにより形成されており、下方向から見て略矩形形状であり、側面から見て左右対称の略Ｍ字形状に形成されている。
【００５４】
反射板６０は、チタンやシリコンを用いたガラス状の物質をＰＶＤコーティングという方法で物理蒸着することにより反射面を形成する。これにより反射板６０は、照射された照射光を、母材であるアルミニウム板によって反射するのではなく、ＰＶＤコーティングされた反射板３０の表面である反射面で反射するため、反射率が９５パーセントという反射率が実現する。
【００５５】
反射板６０は、照射された照射光をほとんど吸収することなく反射するため、反射率９５パーセントという高性能反射率を実現する。また、反射板３０の反射面は、ＰＶＤコーティングをしたことにより、耐摩耗性に優れ、高温作業下でも硬度に優れ、キズがつきにくい等の特徴を有する。さらに、反射板は、耐久性に優れ、表面が黄ばんだり、剥げたりすることがなく高反射率を維持できる。
【００５６】
反射板６０は、その表面をエンボス加工が施されている。反射板６０は、エンボス加工が施されていることにより、蛍光灯より発せられた照射光を拡散反射することができる。つまり、照射光が拡散反射することにより反射板の表面部が黒く見えることなく、全体に白く見えるようになり、意匠性が向上する。なお、反射板３０は、照明装置を設置する位置や場所又は、照明をあてる対象に応じて、例えば鏡面加工や梨地加工に変えても良いことはいうまでもない。
【００５７】
反射板６０は、複数の矩形形状の面が連続して並べられていることで形成されている。また、反射板６０は、矩形の一枚の金属板を連続して曲げていることにより、複数の面が一体に形成されている。本考案の第１の実施の形態において反射板６０は、一枚の金属板が蛍光灯を覆うように、断面形状が略Ｍ字形状が連続するように形成されている。しかし、この形状に限定されることはなく、照明装置を設置する位置や場所又は、照明をあてる対象に応じて反射面の数や曲げる角度を変えても良いことはいうまでもない。
【００５８】
〔第１の照明器具の設置の工程〕
次に、本考案の第１の実施の形態の照明器具を天井面に設置する工程を図３〜図８に基づいて説明する。
＜既設器具本体より既設ランプセード等を取り外す工程＞
図３に示すように、既設照明器具１００は、高天井に取り付けられたメタルハライドランプを用いた照明器具であり、既設ランプセード１１０は、下面が開放した丸型である。この既設照明器具１００より、既設メタルハライドランプＬ、既設反射板１２０及び既設ランプセード１１０を取り外す。このとき、天井面などに取り付けられていた既設安定器の２次側の電源線と１次側の電源線を切断しておく。既設照明器具１００に取りつけられていた、既設安定器は、支障がない限りそのまま残しておいて良い。図４に示すように、天井面には、既設のランプホルダ１０のみが設置された状態となる。
【００５９】
＜既設のランプホルダに取付金具を取り付ける工程＞
図５に示すように、天井面に設置された既設のランプホルダ１０に取付金具２０を取り付ける。底部１５に設けられたネジ部材１６、１７、１８をそれぞれ取付上面２１に形成された大径部２６ａ、２７ａ、２８ａに挿通させる。図６に示すように、その後、取付金具２０を回すことで、取付金具２０が既設のランプホルダ１０に固定される。
【００６０】
つまり、ネジ部材１６、１７、１８の頭部は、大径部２６ａ、２７ａ、２８ａより小径部２６ｂ、２７ｂ、２８ｂに移動する。これにより、取付金具２０は、ネジ部材１６、１７、１８の頭部と底部１５に挟まれた状態になり、固定される。取付金具２０は、ネジ部材１６、１７、１８を締め付けることにより、既設のランプホルダ１０により強固に固定される。
【００６１】
＜照明器具本体を既設のランプホルダに取り付ける工程＞
図７に示すように、照明器具本体３０を既設のランプホルダ１０に取り付ける。照明器具本体３０を既設のランプホルダ１０に向かわせる。このとき、照明器具本体３０を、支持上面４１ａ、４１ｂが取付底面２３ａ、２３ｂの位置より若干高い位置になるようにもつ。そのまま、照明器具本体３０を既設のランプホルダ１０に近づけ、取付底面２３ａ、２３ｂに支持上面４１ａ、４１ｂを滑りこませ載置する。
【００６２】
図８に示すように、取付底面２３ａ、２３ｂに支持上面３１ａ、３１ｂが、引っ掛かり載置された状態となる。つまり、照明器具本体３０が既設のランプホルダ１０に支持された状態となる。蝶ボルト４１ｓ、４１ｓをネジ穴４１ｈ、４１ｈから貫通孔２３ｈ、２３ｈにかけてねじ込む。これにより、取付底面２３ａ、２３ｂと支持上面４１ａ、４１ｂが互いに固定される。最後に、天井面より電源線を延長して、端子台５０につなげる。この工程により照明器具の設置の工事は完成する（図１参照）。
【００６３】
このような工程により、高天井に取り付けられたＨＩＤランプを用いた照明器具を蛍光灯を用いた照明器具に変更することができる。このリニューアル工事は、作業工程が少なく、既設の照明器具内に設けられた既設安定器をはずすことなく、照明器具を設置することで工事コストを抑えることができる。
【００６４】
また、既設のランプホルダ１０の底部１５に設けられたネジ穴の位置が、既設のランプホルダごとに違う位置に設けられている場合がある。この場合でも、照明器具本体を工事することなく、取付金具のだるま穴の位置を調整するのみで良い。これにより、複数の矩形形状の蛍光灯照明器具が、一定の間隔で一定の方向にそろうように取り付ることができる。
【００６５】
〔本考案の第２の実施の形態〕
本考案の第２の実施の形態を図９に基づいて説明を行う。図９は、本考案の第２の実施の形態の照明器具の既設のランプホルダ及び取付金具を示す外観図である。本考案の第２の実施の形態は、前述した本考案の第１の実施の形態を多少変形した形態である。なお、この本考案の第２の実施の形態では、前述した本考案の第１の実施の形態と比べランプホルダと取付金具の取付上面が異なるのみであり他の部位については同一である。このため、他の同一の部位については、詳細な説明は省略する。図９に示すように、本考案の第２の実施の形態の既設のランプホルダ２１０は、基部２１１、軸部２１２、本体部２１３、ランプソケット２１４、底部２１５及び蓋部２１６から構成されている。既設のランプホルダ２１０は、底部２１５と蓋部２１６との間に既設ランプセードを挟んで固定していたランプホルダである。
【００６６】
本体部２１３は、下方向が開放した略円錐状の管に形成されている。本体部２１３は、下方向の端部内周に雌ネジ２１３ａが形成されている。本体部２１３は、内部にランプソケット２１４を有している。本体部２１３は、下方向の端部に管状の円板である底部２１５が形成されている。ランプソケット２１４は、既設のランプホルダ２１０の内部から底部２１５を抜けて下方向外部に突出するように設けられている。蓋部２１６は、中空の略円筒状であり、一端の外周に雌ネジ２１３ａに螺合する雄ネジ２１６ａが形成されている。蓋部２１６は、雄ネジが形成された一端と他端との間に管状の円板である鍔部２１７が形成されている。鍔部２１７は、雌ネジ２１３ａ及び孔２９より径が大きく形成されている。
【００６７】
蓋部２１６の内径は、ランプソケット２１４の外径より大きく形成されている。ランプソケット２１４は、蓋部２１６を本体部２１３に取り付けたとき、蓋部２１６を抜けて下方向外部にかけて突出する。本考案の第１の実施の形態において、取付金具２２０に形成された孔２２９の内径は、本体部２１３の内径と略同一に形成されている。取付金具２２０に支持台４０ａ、４０ｂ（図８参照）を取り付けたときの、取付上面２２１から支持底面４３ｂまでの高さの寸法は、端子台５０の高さの寸法と孔２２９より突出するランプソケットの寸法よりも高くなるように形成されている。
【００６８】
〔第２の照明器具設置の工程〕
第２の照明器具設置の工程では、前述した第１の照明器具設置の工程と＜ランプホルダに取付金具を取り付ける工程＞のみが異なる。よって、＜ランプホルダに取付金具を取り付ける工程＞についてのみ説明する。図９に示すように、天井面に設置された既設のランプホルダ２１０に取付金具２２０を取り付ける。取付金具２２０は、その取付上面２２１を底部２１５にあてる。このとき、孔２２９には、底部２１５より突出しているランプソケット２１４を通す。そして蓋部２１６の雄ネジ２１６ａを雌ネジ２１３ａに螺合して固定する。これにより、取付金具２２０は、底部２１５と鍔部２１７に挟まれてランプソケットに２１０に固定することができる。
【００６９】
〔本考案の第３の実施の形態〕
本考案の第３の実施の形態を図１０に基づいて説明を行う。図１０は、本考案の第３の実施の形態の照明器具の既設のランプホルダ及び取付金具を示す外観図である。本考案の第３の実施の形態は、前述した本考案の第１の実施の形態を多少変形した形態である。なお、この本考案の第２の実施の形態では、前述した本考案の第１の実施の形態と比べランプホルダと取付金具の取付上面が異なるのみであり他の部位については同一である。このため、他の同一の部位については、詳細な説明は省略する。図１０に示すように、本考案の第３の実施の形態の既設のランプホルダ３１０は、基部３１１、軸部３１２、本体部３１３、ランプソケット（図示せず）及び底部３１５から構成されている。既設のランプホルダ３１０は、底部３１５に設けられたネジ部材３１６、３１７と引掛爪３１８、３１９で既設ランプセードを固定していたランプホルダである。
【００７０】
本体部３１３は、下方向が開放した略円錐状の管に形成されている。本体部３１３は、内部にランプソケットを有している。本体部３１３は、下方向の端部に管状の円板である底部３１５が形成されている。底部３１５は、ランプソケットに通じる円状の挿通孔３１３ｈが形成されている。底部３１５は、２つのネジ穴３１６ｈ、３１７ｈが形成されている。ネジ穴３１６ｈ、３１７ｈには、ネジ部材３１６、３１７が取り付けられる。ネジ部材３１６、３１７は、既設照明器具の既設ランプセードを固定していたネジ部材である。
【００７１】
底部３１５は、断面形状が略Ｌ字形状の二つの引掛爪３１８、３１９が形成されている。引掛爪３１８、３１９は、既設ランプセードに形成された引掛孔に引っ掛けていたかぎ爪状の部材である。本考案の第３の実施の形態において、引掛爪３１８、３１９は、底部３１５より下方向に垂直に形成された起立部３１８ａ、３１９ａと起立部３１８ａ、３１９ａ片から外方向に垂直に形成された引掛部３１８ｂ、３１９ｂとから形成されている。
【００７２】
本考案の第３の実施の形態において、引掛部３１８ｂ、３１９ｂは、底部３１５の中心から外側方向に突出するように形成されている。引掛爪３１８、３１９は、底部３１５のネジ穴３１６ｈ、３１７ｈが形成されている位置から挿通孔３１３ｈをまたいで反対側に形成されている。引掛爪３１８、３１９は、挿通孔３１３ｈに沿うようにハの字形状に設けられている。なお、引掛爪３１８、３１９は、引っ掛けることができる形状であれば、他の形状でも良い。
【００７３】
図１０に示すように、取付金具３２０の取付上面３２１には、６つのネジ穴３２６ａ、３２７ａ、３２６ｂ、３２７ｂ、３２６ｃ、３２７ｃが形成されている。ネジ穴３２６ａ、３２７ａは、２つのネジ穴３１６ｈ、３１７ｈに対応する位置に形成されている。つまり、既設のランプホルダ３１０に取付金具３２０を取り付けるときに、ネジ穴３２６ａ、３２７ａとネジ穴３１６ｈ、３１７ｈとは、同一円弧上に位置するように形成されている。同様にネジ穴３２６ｂ、３２７ｂは、ネジ穴３１６ｈ、３１７ｈと対応するように同一円弧上に位置するように形成されている。また、ネジ穴３２６ｃ、３２７ｃは、ネジ穴３１６ｈ、３１７ｈと対応するように同一円弧上に位置するように形成されている。
【００７４】
取付上面３２１には、略中央に八角形形状に貫通している孔３２９が形成されている。孔３２９は、辺ｓ１〜ｓ８で形成されている。孔３２９は、引掛爪３１８、３１９が引っかかるように形成されている。本考案の第３の実施の形態において、ネジ穴３２６ａ、３２７ａとネジ穴３１６ｈ、３１７ｈとの位置を合わせて、ネジ部材３１６、３１７でネジ止めするときには、引掛爪３１８、３１９は、辺ｓ６、ｓ４に引っ掛けられる。
【００７５】
なお、ネジ穴３２６ｂ、３２７ｂとネジ穴３１６ｈ、３１７ｈとの位置をを合わせて、ネジ部材３１６、３１７でネジ止めするときには、引掛爪３１８、３１９は、辺ｓ４、ｓ２に引っ掛けられる。また、ネジ穴３２６ｃ、３２７ｃとネジ穴３１６ｈ、３１７ｈとの位置をを合わせて、ネジ部材３１６、３１７でネジ止めするときには、引掛爪３１８、３１９は、辺ｓ７、ｓ５に引っ掛けられる。つまり、既設のランプホルダ３１０の設置されている位置や角度に応じて、４５度づつ照明器具本体３０の設置される向きを変更できる。
【００７６】
〔第３の照明器具設置の工程〕
第３の照明器具設置の工程では、前述した第１の照明器具設置の工程と＜ランプホルダに取付金具を取り付ける工程＞のみが異なる。よって、＜ランプホルダに取付金具を取り付ける工程＞についてのみ説明する。図１０に示すように、天井面に設置された既設のランプホルダ３１０に取付金具３２０を取り付ける。取付金具３２０は、その取付上面３２１を底部３１５にあてる。
【００７７】
引掛爪３１８は、孔３２９より挿入しｓ６に引っ掛ける。同様に、引掛爪３１９は、孔３２９より挿入しｓ４に引っ掛ける。ネジ部材３１６を、同一線上に位置するネジ穴３２６ａとネジ穴３１６ｈとを通してねじ止めする。ネジ部材３１７を、同一線上に位置するネジ穴３２７ａとネジ穴３１７ｈとを通してねじ止めする。これにより、取付金具３２０は、ランプソケット３１０に固定することができる。
【００７８】
なお、引掛爪３１８、３１９をｓ４、ｓ２に引っ掛けたときは、ネジ部材３１６は、ネジ穴３２６ｂとネジ穴３１６ｈとを通してねじ止めする。ネジ部材３１７は、ネジ穴３２７ｂとネジ穴３１７ｈとを通してねじ止めする。また、引掛爪３１８、３１９をｓ７、ｓ５に引っ掛けたときは、ネジ部材３１６は、ネジ穴３２６ｃとネジ穴３１６ｈとを通してねじ止めする。ネジ部材３１７は、ネジ穴３２７ｃとネジ穴３１７ｈとを通してねじ止めする。
【００７９】
〔本考案の第４の実施の形態〕
本考案の第４の実施の形態を図１１に基づいて説明を行う。図１１は、本考案の第４の実施の形態の照明器具の既設のランプホルダ及び取付金具を示す外観図である。本考案の第４の実施の形態は、前述した本考案の第１の実施の形態を多少変形した形態である。なお、この本考案の第４の実施の形態では、前述した本考案の第１の実施の形態と比べランプホルダと取付金具の取付上面が異なるのみであり他の部位については同一である。このため、他の同一の部位については、詳細な説明は省略する。図１１に示すように、本考案の第４の実施の形態の既設のランプホルダ４１０は、基部４１１、軸部４１２、本体部４１３、ランプソケット４１４及び底部４１５から構成されている。既設のランプホルダ４１０は、底部４１５に設けられたネジ部材４１６と引掛爪４１７、４１８で既設ランプセードを固定していたランプホルダである。
【００８０】
本体部４１３は、下方向が開放した略円錐状の管に形成されている。本体部４１３は、内部にランプソケット４１４を有している。本体部４１３は、下方向の端部に管状の円板である底部４１５が形成されている。ランプソケット４１４は、既設のランプホルダ４１０の内部から底部４１５を抜けて下方向外部に突出するように設けられている。底部４１５は、１つのネジ穴４１６ｈが形成されている。ネジ穴４１６ｈには、ネジ部材４１６が取り付けられる。ネジ部材４１６は、既設照明器具１００の既設ランプセード１１０を固定していたネジ部材である。
【００８１】
底部４１５は、断面形状が略Ｌ字形状の二つの引掛爪４１７、４１８が形成されている。引掛爪４１７、４１８は、既設ランプセードに形成された引掛孔に引っ掛けていたかぎ爪状の部材である。本考案の第４の実施の形態において、引掛爪４１７、４１８は、底部４１５より下方向に垂直に形成された起立部４１７ａ、４１７ｂと起立部４１７ａ、４１７ｂから垂直に形成された引掛部４１７ｂ、４１８ｂとから形成されている。なお、引掛爪４１７、４１８は、引っ掛けることができる形状であれば、他の形状でも良い。
【００８２】
本考案の第４の実施の形態において、引掛部４１７ｂ、４１８ｂは、起立部４１７ａ、４１８ａよりそれぞれ時計回り方向に向けて突出するように形成されている。ネジ穴４１６ｈと引掛爪４１７、４１８とは、底部４１５において等間隔になるように設けられている。なお、引掛爪４１８、４１９は、引っ掛けることができる形状であれば、他の形状でも良い。
【００８３】
図１１に示すように、取付金具４２０の取付上面４２１には、３つのだるま穴４２６ａ、４２６ｂ、４２６ｃが形成されている。取付上面４２１には、６つの引掛孔４２７ａ、４２８ａ、４２７ｂ、４２８ｂ、４２７ｃ、４２８ｃが形成されている。取付上面４２１には、略中央に円形の貫通孔である貫通孔４２９が形成されている。
【００８４】
だるま穴４２６ａ、４２６ｂ、４２６ｃは、一端がネジ部材４１６の頭部の直径より幅が広く形成され、他端が頭部の直径より幅が狭く形成されている。だるま穴４２６ａ、４２６ｂ、４２６ｃは、取付金具４２０を既設のランプホルダ４１０に固定するための穴である。だるま穴４２６ａ、４２６ｂ、４２６ｃは、貫通孔４２９の回りを沿うように同一円弧上に位置するように形成されている。
【００８５】
引掛孔４２７ａ、４２８ａ、４２７ｂ、４２８ｂ、４２７ｃ、４２８ｃは、引掛部４１７ｂ、４１８ｂが挿入できる大きさに形成されている。本考案の第４の実施の形態において、ネジ穴４２６ａとネジ穴４１６ｈとをネジ止めするときには、引掛爪４１７、４１８は、引掛孔４２７ａ、４２８ａに引っ掛けられる。なお、ネジ穴４２６ｂとネジ穴４１６ｈとをネジ止めするときには、引掛爪４１７、４１８は、引掛孔４２７ｂ、４２８ｂに引っ掛けられる。さらに、ネジ穴４２６ｃとネジ穴４１６ｈとをネジ止めするときには、引掛爪４１７、４１８は、引掛孔４２７ｃ、４２８ｃに引っ掛けられる。つまり、既設のランプホルダ４１０の設置されている位置や角度に応じて、照明器具本体３０の設置される向きを変更できる。
【００８６】
〔第４の照明器具設置の工程〕
第４の照明器具設置の工程では、前述した第１の照明器具設置の工程と＜ランプホルダに取付金具を取り付ける工程＞のみが異なる。よって、＜ランプホルダに取付金具を取り付ける工程＞についてのみ説明する。図１１に示すように、天井面に設置された既設のランプホルダ４１０に取付金具４２０を取り付ける。取付金具４２０は、その取付上面４２１を底部４１５にあてる。このとき、孔４２９は、底部４１５より突出しているランプソケット４１４を通す。
【００８７】
ネジ部材４１６を、ネジ穴４１６ｈに取り付けた状態でだるま穴４２６ａの一端より挿入する。引掛爪４１７は、引掛孔４２７ａに挿入し引っ掛ける。同様に、引掛爪４１８は、引掛孔４２８ａに挿入し引っ掛ける。取付金具４２０を回すことで、取付金具４２０が既設のランプホルダ４１０に固定される。取付金具４２０は、ネジ部材４１６を締め付けることにより、既設のランプホルダ４１０により強固に固定される。
【００８８】
なお、引掛爪４１７、４１８を引掛孔４２７ｂ、４２８ｂに引っ掛けたときは、ネジ部材４１６は、ネジ穴４２６ｂとネジ穴４１６ｈとを通してねじ止めする。さらに、引掛爪４１７、４１８を引掛孔４２７ｃ、４２８ｃに引っ掛けたときは、ネジ部材４１６は、ネジ穴４２６ｃとネジ穴４１６ｈとを通してねじ止めする。以上、本考案の実施の形態について説明を行ったが、本考案はこの実施の形態に限定されることはない。本考案の目的、趣旨を変更しない範囲内で変更が可能であることはいうまでもない。
【符号の説明】
【００８９】
１    …  照明器具
１０    …  既設のランプホルダ
２０    …  取付金具
３０    …  照明器具本体
４０ａ、４０ｂ    …  支持台
【図１】
0003154570.tif 000003
【図２】
0003154570.tif 000004
【図３】
0003154570.tif 000005
【図４】
0003154570.tif 000006
【図５】
0003154570.tif 000007
【図６】
0003154570.tif 000008
【図７】
0003154570.tif 000009
【図８】
0003154570.tif 000010
【図９】
0003154570.tif 000011
【図１０】
0003154570.tif 000012
【図１１】
0003154570.tif 000013